(57)【要約】【課題】固定部材に配設した第１連結部材と開閉部材に配設した第２連結部材との連結作業を、簡単かつ容易に行ない得るよう構成する。【解決手段】スリーブ１９における開閉部材との当接部において軸支孔１８の開口端縁に、外方へ拡開状に開口した円錐状の軸案内部３５が形成される。支持軸２５の先端外縁に、該支持軸２５を先細状とする先端円錐部３６が形成される。スリーブ１９における開閉部材との当接部に当接させた支持軸２５の先端円錐部３６を軸案内部３５へ臨ませることで、該支持軸２５を軸支孔１８に積極的に案内して固定部材に対する開閉部材の連結作業を容易に行ない得るよう構成した。【選択図】図５
0003114897.tif 000002
【実用新案登録請求の範囲】
【請求項１】
遊技機を構成する固定部材(A)の所要位置に配設され、水平に延出する支持片(17b)に、軸支孔(18)が穿設されたスリーブ(19)を突出状態に設けた第１連結部材(15)と、前記遊技機を構成する開閉部材(B)の所要位置に配設され、前記第１連結部材(15)の軸支孔(18)に突入・嵌合可能な支持軸(25)を有する第２連結部材(16)とからなり、前記軸支孔(18)に前記支持軸(25)を嵌合させて第１連結部材(15)と第２連結部材(16)とを連結することで、前記開閉部材(B)を前記固定部材(A)に枢支するパチンコ遊技機の部材連結具において、
前記スリーブ(19)における前記開閉部材(B)との当接部において前記軸支孔(18)の開口端縁に形成され、外方へ拡開状に開口した円錐状の軸案内部(35)と、
前記支持軸(25)の先端外縁に形成され、該支持軸(25)を先細状とする先端円錐部(36)とからなり、
前記スリーブ(19)における前記開閉部材(B)との当接部に当接させた前記支持軸(25)の先端円錐部(36)を前記軸案内部(35)へ臨ませることで、該支持軸(25)を軸支孔(18)に積極的に案内して固定部材(A)に対する開閉部材(B)の連結作業を容易に行ない得るよう構成した
ことを特徴とするパチンコ遊技機の部材連結具。
【請求項２】
前記軸案内部(35)は、前記軸支孔(18)の開口端全周に亘って形成され、何れの方向からも支持軸(25)を該軸支孔(18)に積極的に案内し得るようになっている請求項１記載のパチンコ遊技機の部材連結具。
【考案の詳細な説明】
【技術分野】
【０００１】
この考案は、パチンコ遊技機の部材連結具に関し、更に詳細には、固定部材と開閉部材とから構成されるパチンコ遊技機において、前記固定部材の所要位置に配設された第１連結部材の軸支孔に、前記開閉部材の所要位置に配設された第２連結部材の支持軸を嵌合させることで、固定部材に対する開閉部材の連結を図るようにした部材連結具に関するものである。
【背景技術】
【０００２】
パチンコ機やアレンジボール機に代表されるこの種の縦型遊技機では、その基本的構成の概要として、縦長の矩形枠状に形成した外枠の開口前面側に、各種の遊技用構成部材をセットする縦長方形の前枠が、開閉および着脱が可能に組付けられている。そして前記前枠の前面側には、該前枠の正面内部に収容セットした遊技盤の透視保護窓であるガラス扉が横開き形態で開閉可能に組付けられると共に、このガラス扉の下方には、前記遊技盤内での遊技結果として機裏側の賞球払出装置から払出された賞球を遊技球として貯留するための上球皿が、開閉板を介して同じく横開き形態で開閉可能に組付けられている。なお、下球皿および打球発射装置における打球操作部等が前記前枠の下部に装着セットされる一方、各種の球経路および球処理・払出部等を備えた機構セット盤が該前枠の裏側にセットされ、これにより一台の縦型遊技機が構成される。
【０００３】
例えば図１３は、固定部材としての前枠Ａに対する開閉部材としての上球皿Ｂの組付け形態を例示した斜視図であって、前枠Ａの前面左側に配設された第１連結部材および上球皿Ｂの背面左側に配設された第２連結部材から構成される上下２個の部材連結具１０,１１により、上球皿Ｂは前枠Ａの前面左側に連結されて水平に旋回して開閉し得るようになっている。
【０００４】
前記各部材連結具１０,１１は、図１４に示すように、何れも軸・孔嵌合タイプの連結構造とされており、上側の部材連結具１０では、第１連結部材２０に垂下状に立設固定した支持軸２８が第２連結部材２２に穿設した軸支孔２９に嵌合するようになっており、また下側の部材連結具１１では、第２連結部材１６にスライド移動可能に垂設した支持軸２５が第１連結部材１５に穿設した軸支孔１８に嵌合するようになっている。従って前枠Ａに上球皿Ｂを組付けるに際しては、先ず上側の部材連結具１０における第１連結部材２０の支持軸２８を第２連結部材２２の軸支孔２９に嵌合させ、次いで下側の部材連結具１１における第２連結部材１６の支持軸２５を第１連結部材１５の軸支孔１８に嵌合させることで、前枠Ａの前面に上球皿Ｂが連結される。なお、下側の部材連結具１１における第２連結部材１６の支持軸２５は、図１５に示すように、上球皿Ｂにビス固定した支持本体２３にスライド移動可能に配設され、コイルスプリング２６により常には下方へ突出した状態に保持され、前枠Ａに対する上球皿Ｂの組付けに際しては指先で上方へスライド移動させることで、第１連結部材１５の軸支孔１８への嵌合が許容される。
【考案の開示】
【考案が解決しようとする課題】
【０００５】
しかしながら、前記第１連結部材１５,２０および第２連結部材１６,２２から構成された軸・孔嵌合タイプの部材連結具１０,１１を利用して、固定部材としての前枠Ａに開閉部材としての上球皿Ｂを連結する構造では、両者Ａ,Ｂの連結作業に際して次のような問題を内在していた。すなわち、上側の部材連結具１０における第１連結部材２０と第２連結部材２２との連結作業は、軸支孔２９および支持軸２８が視認し得るから比較的簡単に行ない得るとしても、下側の部材連結具１１における第１連結部材１５と第２連結部材１６との連結作業は、支持軸２５と軸支孔１８とが上球皿Ｂで隠れてしまって目視困難とされる状況の下で実施するようになるから、該軸支孔１８に対する支持軸２５の位置決めは経験や勘に頼らざるを得ず、不慣れな作業者では連結作業に時間がかかってしまい、かなりの熟練を要するものとなっていた。
【０００６】
また前記軸支孔１８は、図１６に示すように、支持本体１７の水平に延出する支持片１７ｂに上面突出状態で設けたスリーブ１９に穿設されているため、図１７および図１８に示すように、軸支孔１８に対して支持軸２５を位置決めするに際して該支持軸２５の下端(先端)が該スリーブ１９の外縁に引掛ってしまい、スムーズな連結作業を図り得ない問題があった。更に、支持軸２５の下端が前記スリーブ１９の上面に当接した状態となっても、該支持軸２５を軸支孔１８に積極的に案内する構造とはなっていない。従って、支持軸２５を軸支孔１８へ嵌合させるために前記上球皿Ｂの姿勢を微妙に調整している間に、支持軸２５がスリーブ１９の上面から外れてしまうことも多々あり、このような場合には最初から組付け作業をやり直さなければならない不都合もあった。
【０００７】
すなわち本考案は、前述した課題を好適に解決するために新規に提案されたもので、固定部材に配設した第１連結部材と開閉部材に配設した第２連結部材との連結作業を、簡単かつ容易に行ない得るよう構成したパチンコ遊技機の部材連結具を提供することを目的とする。
【課題を解決するための手段】
【０００８】
前述した課題を解決し、所期の目的を達成するため、請求項１に係るパチンコ遊技機の部材連結具は、
遊技機を構成する固定部材の所要位置に配設され、水平に延出する支持片に、軸支孔が穿設されたスリーブを突出状態に設けた第１連結部材と、前記遊技機を構成する開閉部材の所要位置に配設され、前記第１連結部材の軸支孔に突入・嵌合可能な支持軸を有する第２連結部材とからなり、前記軸支孔に前記支持軸を嵌合させて第１連結部材と第２連結部材とを連結することで、前記開閉部材を前記固定部材に枢支するパチンコ遊技機の部材連結具において、
前記スリーブにおける前記開閉部材との当接部において前記軸支孔の開口端縁に形成され、外方へ拡開状に開口した円錐状の軸案内部と、
前記支持軸の先端外縁に形成され、該支持軸を先細状とする先端円錐部とからなり、
前記スリーブにおける前記開閉部材との当接部に当接させた前記支持軸の先端円錐部を前記軸案内部へ臨ませることで、該支持軸を軸支孔に積極的に案内して固定部材に対する開閉部材の連結作業を容易に行ない得るよう構成したことを特徴とする。
請求項１の考案によれば、軸支孔の開口端縁が軸案内部によって外方へ大きく開口していると共に、支持軸の先端が先端円錐部によって先細となっているから、支持軸の先端円錐部を軸案内部の適宜位置へ臨ませれば該支持軸は軸支孔に積極的に案内され、これにより支持軸を軸支孔へ容易に嵌合させ得る。従って特別な熟練や経験を要することなく、固定部材に対して開閉部材を連結することが可能となる有益な効果を奏する。
【０００９】
請求項２に係るパチンコ遊技機の部材連結具は、前記軸案内部は、前記軸支孔の開口端全周に亘って形成され、何れの方向からも支持軸を該軸支孔に積極的に案内し得るようになっている。
請求項２の考案によれば、前記軸案内部は、前記軸支孔の開口端全周に亘って形成されているから、何れの方向からも支持軸を軸支孔に積極的に案内することができ、固定部材に対する開閉部材の組付け作業の更なる容易化を図り得る。
【考案の効果】
【００１０】
本考案に係るパチンコ遊技機の部材連結具によれば、特別な熟練や経験を要することなく、固定部材に対して開閉部材を容易に連結することが可能となる。
【考案を実施するための最良の形態】
【００１１】
次に、本考案に係るパチンコ遊技機の部材連結具につき、好適な実施例を挙げて、添付図面を参照しながら以下詳細に説明する。なお実施例では、パチンコ遊技機を構成する固定部材としての前枠に、該前枠の前側に開閉可能に組み付けられる開閉部材としての上球皿を連結するための部材連結具につき例示する。従って、パチンコ遊技機を構成する各種部材(例えば外枠、打球発射装置、遊技盤、機構セット盤等)は、本願考案の要旨とは直接的に関連がないから、ここではそれらの詳細な説明および図示は省略する。
【実施例１】
【００１２】
(前枠)
前記前枠Ａは、図１３に示すように、全体が合成樹脂成形されたものが例示され、外枠の開口前面域に整合する外形サイズに成形されて内側に正面縦長方形の窓枠口４１を開口した枠体４０と、この枠体４０の裏側に一体成形されて前記窓枠口４１の正面内部に臨む遊技盤用のセット口４３を開口したセット保持枠４２とが、前後に一体的に連設された内外二重枠形態とされている。そして前記枠体４０においては、窓枠口４１の下部に下球皿や前記打球発射装置の打球発射部等を設置するための設置盤４４が成形される一方、その中央部に賞球用の給出口４５が開口形成されている。また前記窓枠口４１は、前面側から着脱される遊技盤のセット面域および出入れ口ともされ、その下部開口面域内に上球皿Ｂを開閉可能に組付けセットし得るようになっている。
【００１３】
(上球皿)
前記上球皿Ｂは、図１４に示すように、合成樹脂成形された外枠体を有する皿本体５０と、補強装飾用の補強部材５１を前面に取着した薄肉金属成形製(または樹脂製)の開閉セット板５２とから構成されており、これら皿本体５０と開閉セット板５２とはビス等により組付けられるようになっている。このような上球皿Ｂは、後述する部材連結具１２,１３を介して前記前枠Ａの前側に開閉可能に組付けられ、前記前枠Ａの窓枠口４１の下方に閉成された際には、発射レール４６やスピーカ４７およびファール球回収路４８等を覆蓋し得るサイズに設定されている。
【００１４】
(部材連結具)
図１は、実施例１に係るパチンコ遊技機の部材連結具を示す斜視図である。この部材連結具１２は、前枠Ａに上球皿Ｂを連結するに際して連結作業が困難とされる図１３および図１４に示した下側の部材連結具１１に代替されるもので、該部材連結具１１を基本としたもとで、前枠Ａにおける前記枠体４０の前面左端に組付けられる第１連結部材１５と、上球皿Ｂにおける前記補強部材５１の背面左端下方に組付けられる第２連結部材１６から構成されている。なお部材連結具１２は、前記部材連結具１１と比較すると、第２連結部材１６は基本的に同一とされ、第１連結部材１５を改良したものとされている。
【００１５】
(第１連結部材)
第１連結部材１５は、前記前枠Ａの枠体４０に設けた第１設置部４９に整合密着してビス固定される取付片１７ａと、該取付片１７ａの下縁に略直角に連設された支持片１７ｂとからなる側面Ｌ型の支持本体１７を主体とし、この支持本体１７の前記支持片１７ｂに設けた設置孔１７ｃに、軸支孔１８が穿設されたスリーブ１９を嵌合固定して構成されている。すなわち第１連結部材１５は、前記取付片１７ａを第１設置部４９に密着させて前枠Ａに固定すると、前記支持片１７ｂが該前枠Ａの前方へ水平に延出するようになっている。なお前記取付片１７ａには、前枠Ａに固定するビスの挿通を許容する挿通孔２１が穿設されている。
【００１６】
そして前記第１連結部材１５は、前記支持片１７ｂに設けた前記スリーブ１９の上面(前記上球皿Ｂとの当接部)に形成され、該支持片１７ｂの上面(外面)と略同一高さに設定されて前記支持軸２５の先端が当接する軸当受部３０と、前記スリーブ１９の上面(前記上球皿Ｂとの当接部)に、前記軸当受部３０に当接した前記支持軸２５の側面が当接するよう該軸当受部３０より上方(外方)に突出して、該支持軸２５を前記軸支孔１８に案内する案内壁部３１とを有している。これら軸当受部３０および案内壁部３１は、前記スリーブ１９における前記上球皿Ｂとの当接部を構成するフランジ部１９ａを従来より大径に設定したもとで、該フランジ部１９ａにおける支持片１７ｂの前側を指向した部位を、前記軸支孔１８を中心として概ね開放角度Ｒが１２０度程度の扇状に凹設して形成されたものである(図１および図４)。すなわち前記案内壁部３１は、前記軸支孔１８を中心として、前枠Ａに上球皿Ｂを組付けるに際して前記支持軸２５が近接する方向へ拡開しており、広角な範囲から支持軸２５を軸当受部３０に到来させ得るようになっている。なお、前記スリーブ１９のフランジ部１９ａは支持片１７ｂの上面に設けた凹部に整合しており、前述したように、該フランジ部１９ａに設けた前記軸当受部３０は支持片１７ｂの上面と同一高さに設定されている。
【００１７】
(第２連結部材)
第２連結部材１６は、前記上球皿Ｂの補強部材５１に設けた第２設置部５３に整合密着してビス固定される取付部２３ａと、該取付部２３ａの上縁および下縁に略直角に連設された支持片２３ｂ,２３ｂとからなる支持本体２３を主体とし、この支持本体２３の前記支持片２３ｂ,２３ｂに設けた支持孔２４に、操作片２５ａを有する支持軸２５をスライド移動可能に配設して構成されている。前記支持片２３ｂ,２３ｂ間には、両支持片２３ｂ,２３ｂ間距離と略同長のコイルスプリング２６が前記支持軸２５に外嵌した状態で設置され、また該支持軸２５の所要位置に係着固定したＥリング２７が、前記コイルスプリング２６の下端に係合するようになっている。これにより支持軸２５は、前記コイルスプリング２６とＥリング２７との係合により、常には前記支持本体２３から下方へ突出した状態に保持され、また前記操作片２５ａを指先で上方へ押上げるとコイルスプリング２６の圧縮的な弾性変形により上方へスライド移動し、指先による操作を解除すると前記コイルスプリング２６の復帰弾力により元の位置へスライド移動するようになっている。
【００１８】
〔実施例１の作用〕
(第１連結部材と第２連結部材の連結態様)
次に、前述のように構成された部材連結具１２を装着した前枠Ａと上球皿Ｂの連結態様につき説明する。前記部材連結具１２は、図１４に示した下側の部材連結具１１に代替して使用されるもので、第１連結部材１５を前枠Ａに設けた前記第１設置部４９にビス固定すると共に、第２連結部材１６を上球皿Ｂに設けた前記第２設置部５３にビス固定する。なお上側の部材連結具１０は、図１４に示した従来のものがそのまま使用されるものとする。
【００１９】
そして、前枠Ａに対する上球皿Ｂの連結作業では、先ず上側の部材連結具１０における第１連結部材２０の支持軸２８を第２連結部材２２の軸支孔２９に嵌合させ、次いで下側に設けた実施例１の部材連結具１２における第２連結部材１６の支持軸２５を第１連結部材１５の軸支孔１８に嵌合させる。このとき部材連結具１２では、第２支持部材１６の支持軸２５を上方へ引き上げたもとで、上球皿Ｂの姿勢を調整しながら該支持軸２５を前記第１支持部材１５の軸当受部３０の適宜部位に到来させ、この状態で支持軸２５に対する指先操作を解除することにより、前記コイルスプリング２６の付勢力で支持軸２５の先端が前記軸当受部３０に当接するようになる(図２および図３)。
【００２０】
次いで、上球皿Ｂの下方を前枠Ａの側へ押込むように該上球皿Ｂの姿勢を変位させると、前記支持軸２５は、軸当受部３０に先端が当接した状態で前記軸支孔１８の側へ移動するようになる。このとき前記支持軸２５は、前記案内壁部３１の適宜位置に当接した後、該案内壁部３１に沿って移動するようになるから軸支孔１８へ積極的に案内され、最終的には該軸支孔１８へ整合して嵌合されるようになる。
【００２１】
また前記軸当受部３０は、スリーブ外周縁に向けて扇状に拡開しているので、広角な範囲から到来させた支持軸２５の受容が許容され、これにより前枠Ａに対する組付け時の上球皿Ｂの姿勢自由度が高まるから、組付け作業の更なる容易化が期待できる。
【００２２】
すなわち実施例１の部材連結具１２では、第２連結部材１６の支持軸２５を第１連結部材１５の軸当受部３０に一旦当接させた後、上球皿Ｂを前枠Ａの側へ押込むことにより、支持軸２５は案内壁部３１に当接しながら移動するから軸支孔１８に積極的に案内され、支持軸２５は軸支孔１８へ容易に嵌合するに至る。従って特別な熟練や経験を要することなく、前枠Ａに対して上球皿Ｂを連結することが可能である。しかも前記案内壁部３１は、前記軸支孔１８を中心としてスリーブ外周縁に向けて拡開状に延在しているから、広角な範囲から支持軸２５を軸支孔１８に積極的に案内することができ、前枠Ａに対する上球皿Ｂの組付け作業の更なる容易化が図られる。
【００２３】
なお前記スリーブ１９は、図１６等に示した従来のスリーブ１９よりフランジ部１９ａの大径化が図られているものの、該フランジ部１９ａに扇状の前記軸当接部３０を凹設したことにより、スリーブ１９と上球皿Ｂとの実質的な接触面積は殆ど増加していない。従って、スリーブ１９のフランジ部１９ａを大径化したことが、前記上球皿Ｂのスムーズな開閉操作に支障を来すものではない。
【実施例２】
【００２４】
図５は、実施例２に係るパチンコ遊技機の部材連結具を示す斜視図である。この部材連結具１３は、前枠Ａに上球皿Ｂを連結するに際して連結作業が困難とされる図１３および図１４に示した下側の部材連結具１１に代替されるもので、該部材連結具１１を基本としたもとで、前枠Ａにおける前記枠体４０の前面左端に組付けられる第１連結部材１５と、上球皿Ｂにおける前記補強部材５１の背面左端下方に組付けられる第２連結部材１６から構成されている。
【００２５】
(第１連結部材)
第１連結部材１５は、前記前枠Ａの枠体４０に設けた第１設置部４９に整合密着してビス固定される取付片１７ａと、該取付片１７ａの下縁に略直角に連設された支持片１７ｂとからなる側面Ｌ型の支持本体１７を主体とし、この支持本体１７の前記支持片１７ｂに設けた設置孔１７ｃに、軸支孔１８が穿設されたスリーブ１９を嵌合固定して構成されている。すなわち第１連結部材１５は、前記取付片１７ａを第１設置部４９に密着させて前枠Ａに固定すると、前記支持片１７ｂが該前枠Ａの前方へ水平に延出するようになっている。なお前記取付片１７ａには、前枠Ａに固定するビスの挿通を許容する挿通孔２１が穿設されている。
【００２６】
そして前記第１連結部材１５は、前記支持片１７ｂに設けた前記スリーブ１９上面(前記上球皿Ｂとの当接部)において前記軸支孔１８の開口端縁に、上方(外方)へ拡開状に開口した円錐状の軸案内部３５が形成されている。前記軸案内部３５は、前記スリーブ１９の上面を構成するフランジ部１９ａを従来より大径に設定したもとで、軸支孔１８の開口端全周に亘って形成されている。これにより軸支孔１８は、実質的に上方へ大きく開口している。
【００２７】
(第２連結部材)
第２連結部材１６は、前記実施例１における第２連結部材１６と基本的に同一構成とされており、前記上球皿Ｂの補強部材５１に設けた第２設置部５３に整合密着してビス固定される取付部２３ａと、該取付部２３ａの上縁および下縁に略直角に連設された支持片２３ｂ,２３ｂとからなる支持本体２３を主体とし、この支持本体２３の前記支持片２３ｂ,２３ｂに設けた支持孔２４に、操作片２５ａを有する支持軸２５をスライド移動可能に配設して構成されている。前記支持片２３ｂ,２３ｂ間には、両支持片２３ｂ,２３ｂ間距離と略同長のコイルスプリング２６が前記支持軸２５に外嵌した状態で設置され、また該支持軸２５の所要位置に係着固定したＥリング２７が、前記コイルスプリング２６の下端に係合するようになっている。これにより支持軸２５は、前記コイルスプリング２６とＥリング２７との係合により、常には前記支持本体２３から下方へ突出した状態に保持され、また前記操作片２５ａを指先で上方へ押上げるとコイルスプリング２６の圧縮的な弾性変形により上方へスライド移動し、指先による操作を解除すると前記コイルスプリング２６の復帰弾力により支持軸２５は元の位置へスライド移動するようになっている。
【００２８】
そして、前記支持軸２５の下端(先端)の外縁には、該支持軸２５を先細状とする先端円錐部３６が形成されている。これにより支持軸２５は、前記先端円錐部３６により前記軸案内部３５に整合し易く設定されている。
【００２９】
〔実施例２の作用〕
(第１連結部材と第２連結部材の連結態様)
次に、前述のように構成された部材連結具１３を装着した前枠Ａと上球皿Ｂの連結態様につき説明する。前記部材連結具１３は、図１４に示した下側の部材連結具１１に代替して使用されるもので、第１連結部材１５を前枠Ａに設けた前記第１設置部４９にビス固定すると共に、第２連結部材１６を上球皿Ｂに設けた前記第２設置部５３にビス固定する。なお上側の部材連結具１０は、図１４に示した従来のものがそのまま使用される。
【００３０】
そして、前枠Ａに対する上球皿Ｂの連結作業では、先ず上側の部材連結具１０における第１連結部材２０の支持軸２８を第２連結部材２２の軸支孔２９に嵌合させ、次いで下側に設けた実施例２の部材連結具１３における第２連結部材１６の支持軸２５を第１連結部材１５の軸支孔１８に嵌合させる。このとき部材連結具１３では、第２支持部材１６の支持軸２５を上方へ引き上げたもとで、上球皿Ｂの姿勢を調整しながら該支持軸２５を前記第１支持部材１５の前記フランジ部１９ａの上方へ到来させ、この状態で支持軸２５に対する指先操作を解除することにより、前記コイルスプリング２６の付勢力で支持軸２５の先端円錐部３６が該フランジ部１９ａの上面に当接するようになる(図６および図７)。
【００３１】
次いで、上球皿Ｂの姿勢を適宜変化させると、前記支持軸２５の先端円錐部３６が、前記軸案内部３５の適宜部位へ臨むようになる。このとき前記支持軸２５は、前記コイルスプリング２６の復帰弾力により突出する方向へ付勢されているから、軸案内部３５の円錐面に沿って滑動する過程で下方へ徐々に延出すると共に軸支孔１８の側へ積極的に案内されるようになり、最終的には該軸支孔１８へ整合して容易に嵌合される。
【００３２】
また前記軸案内部３５は、前記軸支孔１８の開口端全周に亘って形成されているので、軸支孔１８における周囲の何れの方向から支持軸２５を到来させても該支持軸２５を積極的に案内することができ、これにより前枠Ａに対する組付け時の上球皿Ｂの姿勢自由度が高まるから、組付け作業の更なる容易化が期待できる。
【００３３】
すなわち実施例２の部材連結具１３では、軸支孔１８の開口端縁が軸案内部３５によって上方(外方)へ大きく開口していると共に、支持軸１５の先端が先端円錐部３６によって先細となっているから、支持軸２５の先端円錐部３６を軸案内部３５の適宜位置へ臨ませれば該支持軸２５は軸支孔１８に向けて積極的に案内され、支持軸２５と軸支孔１８とが容易に嵌合する。従って特別な熟練や経験を要することなく、前枠Ａに対して上球皿Ｂを連結することが可能である。しかも前記軸案内部３５は、前記軸支孔１８の開口端全周に亘って形成されているから、何れの方向からも支持軸２５を軸支孔１８に積極的に案内することができ、前枠Ａに対する上球皿Ｂの組付け作業の更なる容易化が図られる。
【００３４】
なお前記スリーブ１９は、図１６等に示した従来のスリーブ１９よりフランジ部１９ａの大径化が図られているが、該フランジ部１９ａに前記拡開状の軸案内部３５を形成したことにより、スリーブ１９と上球皿Ｂとの実質的な接触面積は殆ど増加していない。従って、スリーブ１９のフランジ部１９ａを大径化したことが、前記上球皿Ｂのスムーズな開閉操作に支障を来すものではない。
【実施例３】
【００３５】
図９は、実施例３に係るパチンコ遊技機の部材連結具を示す斜視図である。この部材連結具１４も、前枠Ａに上球皿Ｂを連結するに際して連結作業が困難とされる図１３および図１４に示した下側の部材連結具１１に代替されるもので、該部材連結具１１を基本としたもとで、前枠Ａにおける前記枠体４０の前面左端に組付けられる第１連結部材１５と、上球皿Ｂにおける前記補強部材５１の背面左端下方に組付けられる第２連結部材１６から構成されている。
【００３６】
(第１連結部材)
第１連結部材１５は、前記前枠Ａの枠体４０に設けた第１設置部４９に整合密着してビス固定される取付片１７ａと、該取付片１７ａの下縁に略直角に連設された支持片１７ｂとからなる側面Ｌ型の支持本体１７を主体とし、この支持本体１７の前記支持片１７ｂに設けた設置孔１７ｃに、軸支孔１８が穿設されたスリーブ１９を嵌合固定して構成されている。すなわち第１連結部材１５は、前記取付片１７ａを第１設置部４９に密着させて前枠Ａに固定すると、前記支持片１７ｂが該前枠Ａの前方へ水平に延出するようになっている。なお前記取付片１７ａには、前枠Ａに固定するビスの挿通を許容する挿通孔２１が穿設されている。
【００３７】
そして前記第１連結部材１５は、前記支持片１７ｂに設けた前記スリーブ１９上面(前記上球皿Ｂとの当接部)において前記軸支孔１８の開口端縁に、上方(外方)へ拡開状に開口した円錐状の軸案内部３７が形成されている。前記軸案内部３７は、前記スリーブ１９の上面を構成するフランジ部１９ａを従来のものと同一径に設定したもとで、軸支孔１８の開口端全周に亘って形成されている。これにより軸支孔１８は、実質的に上方へ大きく開口している。なお前記スリーブ１９のフランジ部１９ａは、前記支持片１７ｂの上面(前記支持軸１８の当接面)に対し、突出高Ｈだけ突出している(図１２(ａ))。
【００３８】
(第２連結部材)
第２連結部材１６は、前記実施例２における第２連結部材１６と基本的に同一構成とされており、前記上球皿Ｂの補強部材５１に設けた第２設置部５３に整合密着してビス固定される取付部２３ａと、該取付部２３ａの上縁および下縁に略直角に連設された支持片２３ｂ,２３ｂとからなる支持本体２３を主体とし、この支持本体２３の前記支持片２３ｂ,２３ｂに設けた支持孔２４に、操作片２５ａを有する支持軸２５をスライド移動可能に配設して構成されている。前記支持片２３ｂ,２３ｂ間には、両支持片２３ｂ,２３ｂ間距離と略同長のコイルスプリング２６が前記支持軸２５に外嵌した状態で設置され、また該支持軸２５の所要位置に係着固定したＥリング２７が、前記コイルスプリング２６の下端に係合するようになっている。これにより支持軸２５は、前記コイルスプリング２６とＥリング２７との係合により、常には前記支持本体２３から下方へ突出した状態に保持され、また前記操作片２５ａを指先で上方へ押上げるとコイルスプリング２６の圧縮的な弾性変形により上方へスライド移動し、指先による操作を解除すると前記コイルスプリング２６の復帰弾力により支持軸２５は元の位置へスライド移動するようになっている。
【００３９】
そして、前記支持軸２５の下端(先端)の外縁には、該支持軸２５を先細状とする先端円錐部３８が形成されている。この先端円錐部３８は、図１２(ａ)に示すように支持軸２５の先端面から、少なくとも前記スリーブ１９の突出高Ｈより大きな傾斜長Ｌを有する円錐面３９を形成することで設定された部分である。これにより、第１連結部材１５の前記支持片１７ｂの上面に当接させた前記支持軸２５を前記スリーブ１９の側へ移動させた際に、先端円錐部３８の円錐面３９に該スリーブ１９のフランジ部１９ａ外周端が当接するようになり、このもとで支持軸２５を軸支孔１８側へ強制的に近接移動させようとすれば、円錐面３９とフランジ部１９ａとの摺接作用下に、支持軸２５がフランジ部１９ａの上面に乗り上がるように設定されている(図１２(ｂ))。また、支持軸２５がスリーブ１９の上面に乗り上がった後には、前記軸案内部３７が上方へ開口しているので、前記先端円錐部３８が該軸案内部３７に整合し易くなっている(図１２(ｃ))。なお、前記先端円錐部３８における円錐面３９の傾斜角度Ｓは、当該支持軸２５がスリーブ１９におけるフランジ部１９ａの上面に容易に乗り上がることを前提とした場合、可能な限り小さく設定することが望ましい。
【００４０】
〔実施例３の作用〕
(第１連結部材と第２連結部材の連結態様)
次に、前述のように構成された部材連結具１４を装着した前枠Ａと上球皿Ｂの連結態様につき説明する。前記部材連結具１４は、図１４に示した下側の部材連結具１１に代替して使用されるもので、第１連結部材１５を前枠Ａに設けた前記第１設置部４９にビス固定すると共に、第２連結部材１６を上球皿Ｂに設けた前記第２設置部５３にビス固定する。なお上側の部材連結具１０は、図１４に示した従来のものがそのまま使用される。
【００４１】
そして、前枠Ａに対する上球皿Ｂの連結作業では、先ず上側の部材連結具１０における第１連結部材２０の支持軸２８を第２連結部材２２の軸支孔２９に嵌合させ、次いで下側に設けた実施例３の部材連結具１４における第２連結部材１６の支持軸２５を第１連結部材１５の軸支孔１８に嵌合させる。このとき部材連結具１４では、第２支持部材１６の支持軸２５を上方へ引き上げたもとで、上球皿Ｂの姿勢を調整しながら該支持軸２５を前記第１支持部材１５の支持片１７ｂの上方へ到来させ、この状態で支持軸２５に対する指先操作を解除すると、前記コイルスプリング２６の付勢力で支持軸２５の先端円錐部３８が該支持片１７ｂの上面に当接するようになる(図１０,図１１および図１２(ａ))。
【００４２】
次いで、上球皿Ｂの姿勢を適宜変化させ、前記支持軸２５をスリーブ１９側へ移動させると、該スリーブ１９のフランジ部１９ａにおける外周端に先端円錐部３８の円錐面３９が当接するようになり、このもとで当該支持軸２５を軸支孔１８側へ更に近接移動させれば、円錐面３９とフランジ部１９ａとの摺接作用下に、支持軸２５がフランジ部１９ａの上面に容易に乗り上がるようになる(図１２(ｂ))。
【００４３】
支持軸２５がスリーブ１９へ乗り上がった後、更に上球皿Ｂの姿勢を適宜変化させると、該支持軸２５の先端円錐部３８が、前記軸案内部３７の適宜部位へ臨むようになる(図１２(ｃ))。このとき前記支持軸２５は、前記コイルスプリング２６の復帰弾力により突出する方向へ付勢されているから、軸案内部３７の円錐面に沿って滑動する過程で下方へ徐々に延出すると共に軸支孔１８の側へ積極的に案内されるようになり、最終的には該軸支孔１８へ整合して嵌合される。
【００４４】
また前記軸案内部３７は、前記軸支孔１８の開口端全周に亘って形成されているので、軸支孔１８における周囲の何れの方向から支持軸２５を到来させても該支持軸２５を積極的に案内することができ、これにより前枠Ａに対する組付け時の上球皿Ｂの姿勢自由度が高まるから、組付け作業の更なる容易化が期待できる。
【００４５】
すなわち実施例３の部材連結具１４では、支持軸２５の先端円錐部３８における円錐面３９の傾斜長Ｌを、支持片１７ｂから突出したスリーブ１９の突出高Ｈより大きく設定したことにより、該支持片１７ｂの上面所要位置に当接させた支持軸２５をスリーブ１９の上面に容易に乗り上げさせることが可能である。しかも、軸支孔１８の開口端縁が軸案内部３７によって上方へ大きく開口していると共に、支持軸２５の先端が先端円錐部３８によって先細となっているから、先端円錐部３８と軸案内部３７とが容易に整合するので支持軸２５は軸支孔１８に向けて積極的に案内され、支持軸２５と軸支孔１８とが容易に嵌合する。従って特別な熟練や経験を要することなく、前枠Ａに対して上球皿Ｂを連結することが可能である。しかも前記軸案内部３７は、前記軸支孔１８の開口端全周に亘って形成されているから、何れの方向からも支持軸２５を軸支孔１８に積極的に案内することができ、前枠Ａに対する上球皿Ｂの組付け作業の更なる容易化が図られる。
【００４６】
なお前記スリーブ１９は、図１６等に示した従来のスリーブ１９とフランジ部１９ａを同一径としたもとで、該フランジ部１９ａに前記拡開状の軸案内部３７を形成したことにより、スリーブ１９と上球皿Ｂとの接触面積が大幅に減少している。従って従来と比較すると、前記上球皿Ｂの開閉操作を一段と円滑かつスムーズに行ない得る。
【００４７】
前記各実施例では、固定部材としての前枠Ａに対する開閉部材としての上球皿Ｂの連結のために実施される部材連結具１２,１３,１４を例示したが、固定部材および開閉部材は前枠Ａおよび上球皿Ｂに限定されるものではない。例えば前枠Ａは、前記上球皿Ｂに対しては固定部材とされるが、外枠に対しては開閉部材として機能するものであるから、前記部材連結具１２,１３,１４は、固定部材としての外枠に対する開閉部材としての前枠Ａを連結するために実施することも可能である。更に前記部材連結具１２,１３,１４は、固定部材としての前枠Ａに対する開閉部材としてのガラス扉の連結のために実施することも可能である。
【００４８】
また前記各実施例に示した連結形態を、図１３および図１４に示した上側の部材連結具１０に応用してもよい。
【図面の簡単な説明】
【００４９】
【図１】実施例１に係る部材連結具を構成する第１連結部材および第２連結部材を示す斜視図である。
【図２】第１連結部材の軸支孔に対して第２連結部材の支持軸を嵌合させる状態を、図１のII−II線で破断して示す説明図である。
【図３】第１連結部材の軸支孔に対して第２連結部材の支持軸を嵌合させる状態を、図１のIII−III線で破断して示す説明図である。
【図４】軸当受部へ一旦当接させた支持軸をを案内壁部に沿って移動させることで、該支持軸が軸支孔に積極的に案内されることを平面状態で示す説明図である。
【図５】実施例２に係る部材連結具を構成する第１連結部材および第２連結部材を示す斜視図である。
【図６】第１連結部材の軸支孔に対して第２連結部材の支持軸を嵌合させる状態を、図５のVI−VI線で破断して示す説明図である。
【図７】第１連結部材の軸支孔に対して第２連結部材の支持軸を嵌合させる状態を、図５のVII−VII線で破断して示す説明図である。
【図８】フランジ部に一旦当接させた支持軸の先端円錐部を軸案内部へ臨ませることで、該支持軸が軸支孔に積極的に案内されることを平面状態で示す説明図である。
【図９】実施例３に係る部材連結具を構成する第１連結部材および第２連結部材を示す斜視図である。
【図１０】第１連結部材の軸支孔に対して第２連結部材の支持軸を嵌合させる状態を、図９のＷ−Ｗ線で破断して示す説明図である。
【図１１】第１連結部材の軸支孔に対して第２連結部材の支持軸を嵌合させる状態を、図９のＺ−Ｚ線で破断して示す説明図である。
【図１２】(ａ)は、第１連結部材の適宜位置に支持軸の先端を当接させた状態を示し、(ｂ)は、第１連結部材に当接させた支持軸が、円錐面とスリーブとの摺接作用下に該フランジ部に乗り上がった状態を示し、(ｃ)は、フランジ部に乗り上がった支持軸の先端円錐部と軸案内部とが整合することで、当該支持軸が軸支孔へ積極的に案内される状態を示す説明断面図である。
【図１３】パチンコ機を構成する前枠と上球皿を、該上球皿を開放させた状態で示す一部省略斜視図である。
【図１４】固定部材としての前枠と開閉部材としての上球皿との組付け態様を示す部分斜視図である。
【図１５】部材連結具の第２連結部材を配設した上球皿の部分背面図である。
【図１６】従来実施の部材連結具を構成する第１連結部材および第２連結部材を示す斜視図である。
【図１７】第１連結部材の軸支孔に対して第２連結部材の支持軸を嵌合させるに際し、該支持軸の下端がスリーブに引掛かって嵌合させ難い状態を、図１６のＸ−Ｘ線で破断して示す説明図である。
【図１８】第１連結部材の軸支孔に対して第２連結部材の支持軸を嵌合させるに際し、該支持軸の下端がスリーブに引掛かって嵌合させ難い状態を、図１６のＹ−Ｙ線で破断して示す説明図である。
【符号の説明】
【００５０】
１５ 第１連結部材，１６ 第２連結部材，１７ｂ 支持片，１８ 軸支孔
１９ スリーブ，２５ 支持軸，３５ 軸案内部，３６ 先端円錐部
Ａ 前枠(固定部材)，Ｂ 上球皿(開閉部材)
【図１】
0003114897.tif 000003
【図２】
0003114897.tif 000004
【図３】
0003114897.tif 000005
【図４】
0003114897.tif 000006
【図５】
0003114897.tif 000007
【図６】
0003114897.tif 000008
【図７】
0003114897.tif 000009
【図８】
0003114897.tif 000010
【図９】
0003114897.tif 000011
【図１０】
0003114897.tif 000012
【図１１】
0003114897.tif 000013
【図１２】
0003114897.tif 000014
【図１３】
0003114897.tif 000015
【図１４】
0003114897.tif 000016
【図１５】
0003114897.tif 000017
【図１６】
0003114897.tif 000018
【図１７】
0003114897.tif 000019
【図１８】
0003114897.tif 000020